(57)【要約】【課題】タンク本体の寸法バラつきに樹脂タンクを対応させつつ、タンク装置に衝撃が加わった場合において、樹脂タンクがタンク本体内で大きく振動することを抑制することができるタンク装置を提供することを目的とする。【解決手段】樹脂タンク２２は、側面部２２ｂの一部に設けられ、側面部２２ｂからタンク本体２０側に向けて突出する突出部２２ｃを有する。【選択図】図３
2019090192.tif 000002
【特許請求の範囲】
【請求項１】
内部に貯留した洗浄水を便器本体へ供給することによって便器洗浄を行なうタンク装置において、
外郭を形成するタンク本体と、
上記タンク本体内に取り付けられて内部に洗浄水を貯留する樹脂タンクと、
を備えており、
上記樹脂タンクは、上記タンク本体との間に所定間隔の隙間を有する側面部と、上記側面部の一部に設けられ、上記側面部から上記タンク本体側に向けて突出する突出部と、を有するタンク装置。
【請求項２】
上記突出部は、上記樹脂タンクの角部に設けられる請求項１に記載のタンク装置。
【請求項３】
上記突出部は、上記側面部から上記タンク本体側に向けて突出する突出幅を調整可能である請求項１又は２に記載のタンク装置。
【請求項４】
上記突出部は、上記樹脂タンクとは別体であり、上記樹脂タンクに対して着脱可能である請求項１乃至３のいずれか１項に記載のタンク装置。
【発明の詳細な説明】
【技術分野】
【０００１】
本発明は、タンク装置に係り、特に、便器に供給する洗浄水を貯留するタンク装置に関する。
【背景技術】
【０００２】
従来から、便器本体へ供給するための洗浄水を貯留するタンク装置として、外郭を形成する陶器製のタンク本体と、このタンク本体の中に固定されて内部に洗浄水を貯留する樹脂製の樹脂タンクと、を有するタンク装置が知られている（例えば、特許文献１）。このようにタンク本体を陶器で形成することによって、意匠性を向上させることができる。
【０００３】
上述したようなタンク装置においては、特に陶器製のタンク本体は製造誤差などによって寸法のバラつきが生じやすいため、樹脂タンクはタンク本体との間に一定間隔の隙間ができるように設計される必要があった。
【先行技術文献】
【特許文献】
【０００４】
【特許文献１】特開２００３−２７５５４号公報
【発明の概要】
【発明が解決しようとする課題】
【０００５】
ところが、タンク本体と樹脂タンクとの間に隙間を設けると、タンク装置を組み立てるときやタンク本体内に樹脂タンクを組み立てた状態で輸送するときなどに、タンク装置に衝撃が加わることにより、タンク本体内で樹脂タンクが大きく振動してしまうことがある。
【０００６】
これによって、樹脂タンクの固定部位に応力がかかってしまい、樹脂タンクの固定が外れたり、固定部位が破損したりしてしまうおそれがある。
【０００７】
本発明は、上述した問題を解決するためになされたものであり、タンク本体の寸法バラつきに樹脂タンクを対応させつつ、タンク装置に衝撃が加わった場合において、樹脂タンクがタンク本体内で大きく振動することを抑制することができるタンク装置を提供することを目的とする。
【課題を解決するための手段】
【０００８】
本発明の一態様に係るタンク装置は、内部に貯留した洗浄水を便器本体へ供給することによって便器洗浄を行なうタンク装置において、外郭を形成するタンク本体と、上記タンク本体内に取り付けられて内部に洗浄水を貯留する樹脂タンクと、を備えており、上記樹脂タンクは、上記タンク本体との間に所定間隔の隙間を有する側面部と、上記側面部の一部に設けられ、上記側面部から上記タンク本体側に向けて突出する突出部と、を有する。
【０００９】
この構成によれば、樹脂タンクとタンク本体との隙間を小さくすることができるため、タンク装置に衝撃が加わった場合においても、樹脂タンクがタンク本体内で大きく振動することを抑制することができる。また、樹脂タンクの全周ではなく一部に突出部を設けているため、製造誤差などによってタンク本体に寸法バラつきが生じてしまったとしても、樹脂タンクの突出部が設けられていない領域が変形することで寸法のバラつきを吸収することができる。これにより、樹脂タンクをタンク本体の寸法バラつきに対応させることができる。
【００１０】
本発明の一態様に係るタンク装置において、好ましくは、上記突出部は、上記樹脂タンクの角部に設けられる。
【００１１】
この構成によれば、樹脂タンクをタンク本体の寸法バラつきに対応させつつ、タンク装置に衝撃が加わった場合においても、樹脂タンクがタンク本体内で大きく振動することを抑制することができる。
【００１２】
本発明の一態様に係るタンク装置において、好ましくは、上記突出部は、上記側面部から上記タンク本体側に向けて突出する突出幅を調整可能である。
【００１３】
この構成によれば、突出部の突出幅を状況に応じて調整できるため、樹脂タンクを様々なサイズのタンク本体内に取り付け可能となる。
【００１４】
本発明の一態様に係るタンク装置において、好ましくは、上記突出部は、上記樹脂タンクとは別体であり、上記樹脂タンクに対して着脱可能である。
【００１５】
この構成によれば、タンク本体のサイズに応じた突出部を選択することができるため、樹脂タンクを様々なサイズのタンク本体内に取り付け可能となる。
【発明の効果】
【００１６】
本発明のタンク装置によれば、タンク本体の寸法バラつきに樹脂タンクを対応させつつ、タンク装置に衝撃が加わった場合において、樹脂タンクがタンク本体内で大きく振動することを抑制することができる。
【図面の簡単な説明】
【００１７】
【図１】本発明の一実施形態によるタンク装置が適用された水洗大便器を示す断面図である。
【図２】本発明の一実施形態によるタンク装置の概略構造を示す正面断面図である。
【図３】本発明の一実施形態による樹脂タンクの上方斜視図である。
【図４】本発明の一実施形態による樹脂タンクがタンク本体内に取り付けられた状態での概略を示す上面視図である。
【発明を実施するための形態】
【００１８】
以下、本発明の実施の形態について添付図面を参照しながら説明する。なお、各図面中、同様の構成要素には同一の符号を付して詳細な説明は適宜省略する。
【００１９】
＜水洗大便器の構成＞
まず、図１により、本発明の一実施形態によるタンク装置が適用される水洗大便器について説明する。
図１は、本発明の一実施形態によるタンク装置が適用された水洗大便器を示す断面図である。
【００２０】
図１に示すように、符号１は、洗い落とし式の水洗大便器を示し、この便器１は、便器本体２を備え、この便器本体２にはボウル部４と、導水路６と、ボウル部４の下部と連通するトラップ管路８がそれぞれ形成されている。便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００２１】
ボウル部４の下方には、一点鎖線で貯留面Ｗ０が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ０の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００２２】
便器本体２の導水路６の上方には、便器本体２に供給する洗浄水を貯水するタンク装置１８が設けられている。
なお、本実施形態では、タンク装置１８が適用される水洗大便器１として、ボウル部８内の水の落差による流水作用で汚物を押し流す、いわゆる、洗い落し式の水洗大便器１の例について説明するが、このような洗い落し式の水洗大便器に限定されず、サイホン作用を利用してボウル部内の汚物を吸い込んで排水トラップ管路から一気に外部に排出する、いわゆる、サイホン式の水洗大便器等の他のタイプの水洗大便器にも適用可能である。
【００２３】
＜タンク装置の構成＞
つぎに、図２により、タンク装置１８の概略構造について説明する。
図２は、本発明の一実施形態によるタンク装置の概略構造を示す正面断面図である。
【００２４】
図２に示すように、タンク装置１８は、外郭を形成する陶器製のタンク本体２０と、このタンク本体２０内に取り付けられて内部に洗浄水を貯留する樹脂製の樹脂タンク２２と、タンク本体２０に載せられる蓋体２４と、を備えている。
また、樹脂タンク２２の底面には、上述した便器本体の導水路６に連通する排水口２２
ａが形成されている。
【００２５】
つぎに、タンク装置１８は、外部の水道管などの給水源（図示せず）から供給される洗浄水を樹脂タンク２２内に給水する給水装置２６と、排水口２２ａを開閉する排水弁装置２８と、この排水弁装置２８を操作する操作装置３０とを備えている。
給水装置２６は、排水弁装置２８による排水開始の所定時間後、給水を開始するようになっており、樹脂タンク２２の満水時の止水水位は、図２に示す位置（ＷＬ０）で一定になるようにしている。
【００２６】
また、給水装置２６は、従来のものと同様のものであり、外部の水道管などの給水源（図示せず）に接続される給水管３２と、給水装置用のフロート３４と、給水管３２と連通して貯水タンク２２に洗浄水を吐水する吐水管３６と、フロート３４にレバー３８を介して連結される給水バルブ４０とを備えている。
さらに、給水装置２６は、蓋体２４の上面に設けられた手洗いカラン４４に給水する手洗い給水管４２を備えており、便器への洗浄水の供給開始時（排水開始時）に、手洗いカラン４４は、蓋体２４の上面に形成された手洗い鉢２４ａに手洗い用の水を吐水することができるようになっている。また、手洗いカラン４４から吐水された手洗い鉢２４ａの水は、手洗い鉢２４ａに形成された吐水口（流入口）２４ｂにより、樹脂タンク２２に流入するようになっている。
さらに、蓋体２４の下方には、吐水口２４ｂから流入する水を、排水弁装置２８の制御筒４６の外方に導く導水部材４８が設けられている。
【００２７】
タンク装置１８は、操作装置３０及びこの操作装置３０の操作により作動される排水弁装置２８を備えている。
【００２８】
操作装置３０は、操作レバー５０と、モータ５２と、このモータ５２に接続される操作ボタン５４（図２にのみ図示）と、を備えている。
また、操作ボタン５４は、後述する大洗浄用、小洗浄用、エコ小洗浄用の３つの操作ボタンを備えている。
【００２９】
操作レバー５０は、一方（本実施形態では、手前側）に（９０度）回動させると、後述する大洗浄が開始され、他方（本実施形態では、奥側）に（９０度）回動させると、後述する小洗浄が開始されるように、排水弁装置２８を作動させる手動式の操作レバーである。
また、モータ５２は、大洗浄のボタンが押されると、操作レバー５０と同一の一方（手前側）の方向に回転し、小洗浄のボタンが押されると、操作レバー５０と同一の他方（奥側）の方向に回転して、それぞれ、大洗浄或いは小洗浄が開始されるように排水弁装置２８を作動させるようになっている。
このように、本実施形態では、使用者は、大洗浄及び小洗浄については、操作レバー５０を操作しても良いし、操作ボタン５４を押しても良い。エコ小洗浄については、モータ５２によってのみ、即ち、使用者が操作ボタンを押すことによって、排水弁装置２８が作動される。
【００３０】
これらの操作レバー５０及びモータ５２には、ワイヤ部材やユニバーサルジョイントなどにより構成される回転伝達部材５６が連結されている。この回転伝達部材５６の他端側には、その回転に伴って、回転伝達部材５６を中心に揺動する第１の引き上げ部材５８及び第２の引き上げ部材６０が取り付けられ、これらの第１の引き上げ部材５８及び第２の引き上げ部材６０の先端部には、それぞれ、第１玉鎖６２の上端部分及び第２玉鎖６４の上端部分が取り付けられている。
【００３１】
これらの第１の引き上げ部材５８及び第２の引き上げ部材６０は、回転伝達部材５６を一方側（大洗浄時）に回転させると、第１の引き上げ部材５８のみが、その一方側に揺動して第１玉鎖６２のみを引き上げ、一方、回転伝達部材５６を他方側（小洗浄時、エコ小洗浄時）に回転させると、第１の引き上げ部材５８及び第２の引き上げ部材６０の両方が、その他方側に揺動して第１玉鎖６２及び第２玉鎖６４の両方を引き上げるような機械的な機構とされている。
【００３２】
＜樹脂タンクの構成＞
つぎに、図３，４により、樹脂タンク２２の概略構造について説明する。
図３は、本発明の一実施形態による樹脂タンクの上方斜視図である。図４は、本発明の一実施形態による樹脂タンクがタンク本体内に取り付けられた状態での概略を示す上面視図である。
【００３３】
図３に示すように、樹脂タンク２２は、側面部２２ｂの一部に設けられ、側面部２２ｂからタンク本体２０側に向けて突出する突出部２２ｃを有する。この突出部２２ｃは、樹脂タンク２２に一体的に設けられ、樹脂タンク２２の上端の角部である四隅にそれぞれ設けられている。
【００３４】
図４に示すように、樹脂タンク２２がタンク本体２０内に取り付けられた状態において、樹脂タンク２２の突出部２２ｃが設けられていない領域Ａ１においては、樹脂タンク２２の側面部２２ｂとタンク本体２０との間に距離Ｘの隙間を有する。また、樹脂タンク２２の突出部２２ｃが設けられている領域Ａ２においては、樹脂タンク２２の突出部２２ｃとタンク本体２０との間に距離Ｙの隙間を有する。この距離Ｙは距離Ｘよりも小さい。
【００３５】
＜作用効果＞
つぎに、上述した本発明の一実施形態によるタンク装置１８における作用効果について説明する。
【００３６】
まず、本発明の一実施形態によるタンク装置１８によれば、樹脂タンク２２は、側面部２２ｂの一部に設けられ、側面部２２ｂからタンク本体２０側に向けて突出する突出部２２ｃを有する。これにより、樹脂タンク２２とタンク本体２０との隙間を小さくすることができるため、タンク装置１８に衝撃が加わった場合においても、樹脂タンク２２がタンク本体２０内で大きく振動することを抑制することができる。また、樹脂タンク２２の全周ではなく一部に突出部２２ｃを設けているため、製造誤差などによってタンク本体２０に寸法バラつきが生じてしまったとしても、樹脂タンク２２の突出部２２ｃが設けられていない領域Ａ１が変形することで寸法のバラつきを吸収することができる。これにより、樹脂タンク２２をタンク本体２０の寸法バラつきに対応させることができる。
【００３７】
また、本発明の一実施形態によるタンク装置１８によれば、突出部２２ｃは、樹脂タンク２２の角部に設けられている。これにより、樹脂タンク２２をタンク本体２０の寸法バラつきに対応させつつ、タンク装置１８に衝撃が加わった場合においても、樹脂タンク２２がタンク本体２０内で大きく振動することを抑制することができる。
【００３８】
以上、本願の開示する技術の実施形態について説明したが、本願の開示する技術は、上記に限定されるものではない。
【００３９】
例えば、側面部２２ｂからタンク本体２０側に向けて突出する突出部２２ｃの突出幅が調整可能となるように、突出部２２ｃを切断可能にしたり、突出部２２ｃを折りたたみ可能にしたりしてもよい。これにより、突出部２２ｃの突出幅を状況に応じて調整できるため、樹脂タンク２２を様々なサイズのタンク本体２０内に取り付け可能となる。
【００４０】
例えば、上記実施形態においては、樹脂タンク２２と一体的に突出部２２ｃを設けることとしたが、本発明はこれに限らず、突出部２２ｃを樹脂タンク２２と別体とし、樹脂タンク２２に対して着脱可能となるようにしてもよい。これにより、タンク本体２０のサイズに応じた突出部２２ｃを選択することができるため、樹脂タンク２２を様々なサイズのタンク本体２０内に取り付け可能となる。
【００４１】
前述した各実施の形態が備える各要素は、技術的に可能な限りにおいて組み合わせることができ、これらを組み合わせたものも本発明の特徴を含む限り本発明の範囲に包含される。
【符号の説明】
【００４２】
１        水洗大便器
２        便器本体
４        ボウル部
６        導水路
８        トラップ管路
８ａ      トラップ管路の入口
８ｂ      上昇路
８ｃ      下降路
１０      リム
１２      第１吐水口
１４      溜水部
１６      第２吐水口
１８      タンク装置
２０      タンク本体
２２      樹脂タンク
２２ａ    排水口
２２ｂ    側面部
２２ｃ    突出部
２４      蓋体
２４ａ    手洗い鉢
２４ｂ    吐水口
２６      給水装置
２８      排水弁装置
３０      操作装置
３２      給水管
３４      給水装置用フロート
３６      吐水管
３８      レバー
４０      給水バルブ
４２      手洗いカラン
４４      手洗い給水管
４６      制御筒
４８      導水部材
５０      操作レバー
５２      モータ
５４      操作ボタン
５６      回転伝達部材
５８      第１の引き上げ部材
６０      第２の引き上げ部材
６２      第１玉鎖
６４      第２玉鎖
Ｘ        距離
Ｙ        距離
Ａ１      領域
Ａ２      領域
【図１】
2019090192.tif 000003
【図２】
2019090192.tif 000004
【図３】
2019090192.tif 000005
【図４】
2019090192.tif 000006